(57)【要約】【課題】コントローラ本体に停電補償ユニットを接続するだけでコントローラ本体がその接続を認識でき、施工者の設定を不要として、現場でのトラブル発生を未然に防止できる電気錠コントローラを提供する。【解決手段】コントローラ本体２０は、停電補償ユニット３を接続するための停電補償接続端子Ｔ１と、給電端子Ｔ２と、停電補償ユニット検出手段２４とを備えており、コントローラ本体２０の停電補償ユニット検出手段２４は、コントローラ本体２０側に設けた給電端子Ｔ２、停電補償端子Ｔ１と、停電補償ユニット３側に設けた給電端子Ｔ２、停電補償端子Ｔ１とが接続されたときに通電路を形成し、停電補償ユニット３側に設けた補償電源を停電補償ユニット検出回路２４に通電させることで、停電補償ユニット３の接続を検知判別する構成にしている。【選択図】図１
2008115622.tif 000002
【特許請求の範囲】
【請求項１】
非接触ＩＣカードと交信して、そのＩＣカードの携行者を認証する認証装置と接続され、認証した携行者を通過させるために、通行扉の電気錠ユニットを解錠し、非停電時には、外部電源の供給を受けて作動する一方、停電時には、前記停電補償ユニットから電源供給を受けて作動するコントローラ本体を備えた電気錠コントローラであって、
前記コントローラ本体は、
停電補償ユニットを接続するための停電補償端子と、給電端子と、停電補償ユニット検出手段とを備える一方、
前記コントローラ本体の停電補償ユニット検出手段は、
前記コントローラ本体側に設けた給電端子、停電補償端子と、前記停電補償ユニット側に設けた給電端子、停電補償端子とが接続されたときに通電路を形成して、停電補償ユニット側に設けた補償電源を停電補償ユニット検出手段に通電させることで、停電補償ユニットの接続を検知判別する構成にしていることを特徴とする電気錠コントローラ。
【請求項２】
請求項１において、
前記コントローラ本体は、
ハウジング開放検出監視検出手段と、本体ハウジング開放検出スイッチと、ハウジング開放検出接続端子とをさらに備えるとともに、
前記停電補償ユニットは、
補償ユニットハウジング開放検出スイッチと、ハウジング開放検出接続端子とを更に備えており、
前記コントローラ本体と前記停電補償ユニットのそれぞれに設けたハウジング開放検出接続端子同士を接続したときには、前記ハウジング開放検出監視検出手段、前記本体ハウジング開放検出スイッチ、補償ユニットハウジング開放検出スイッチによって直流通電回路を構成して、
前記コントローラ本体は、前記ハウジング開放検出スイッチの少なくとも一方が作動したときには、前記直流通電路が開かれることで、前記ハウジング開放検出監視検出手段を作動させて、警報を報知する構成にしていることを特徴とする電気錠コントローラ。
【請求項３】
請求項１または２のいずれか１項において、
前記コントローラ本体又は停電補償ユニットは、前記停電補償ユニット内の充電池の電池試験手段を具備しており、
前記充電池の出力電圧が判別されて、試験動作がなされる構成にしていることを特徴とする電気錠コントローラ。
【発明の詳細な説明】
【技術分野】
【０００１】
本発明は、非接触ＩＣカードを用いた電気錠システムに使用される電気錠コントローラの改良に関する。
【背景技術】
【０００２】
近時、特許文献１に示すような電気錠コントローラが提案されている。このような電気錠コントローラは、非接触ＩＣカードと交信して、そのＩＣカードの携行者を認証する認証装置と接続され、ＩＣカードの携行者を認証すれば、通行扉の電気錠ユニットを解錠するコントローラ本体に、停電時における補償電源（バックアップ電源）を供給する停電補償ユニットを接続して使用され、このようなコントローラ本体では、非停電時には、外部電源の供給を受けて作動する一方、停電時には、停電補償ユニットから補償電源が供給されるようになっている。
【特許文献１】特開平９−２９６６３９号公報
【発明の開示】
【発明が解決しようとする課題】
【０００３】
ところで、前記した従来の電気錠コントローラでは、コントローラ本体に停電補償ユニットを接続しても、停電補償ユニットの接続の有無を、コントローラ本体の操作入力部もしくは認証装置の操作入力部において設定することで、コントローラ本体に認識させる必要がある。そのため、施工者が、このような設定を忘れた場合には、コントローラ本体には、停電時に停電補償ユニットからの電源供給を受けることがないため、トラブルが発生するおそれがある。
【０００４】
本発明は、このような事情を考慮して提案されるものであり、コントローラ本体に停電補償ユニットを接続するだけでコントローラ本体がその接続を認識でき、施工者の設定を不要として、現場でのトラブル発生を未然に防止できる電気錠コントローラを提供することを目的とする。
【０００５】
また、コントローラ本体側において、コントローラ本体、停電補償ユニットのいずれかにおいて、こじ開けなどによるハウジングの開放を監視することのできる電気錠コントローラを提供することを目的とする。更には、充電池の劣化を監視する電池試験手段を備えた電気錠コントローラを提供することを目的とする。
【課題を解決するための手段】
【０００６】
前記目的を達成するために、本発明の請求項１では、非接触ＩＣカードと交信して、そのＩＣカードの携行者を認証する認証装置と接続され、認証した携行者を通過させるために、通行扉の電気錠ユニットを解錠し、非停電時には、外部電源の供給を受けて作動する一方、停電時には、前記停電補償ユニットから電源供給を受けて作動するコントローラ本体を備えた電気錠コントローラであって、前記コントローラ本体は、停電補償ユニットを接続するための停電補償端子と、給電端子と、停電補償ユニット検出手段とを備える一方、前記コントローラ本体の停電補償ユニット検出手段は、前記コントローラ本体側に設けた給電端子、停電補償端子と、前記停電補償ユニット側に設けた給電端子、停電補償端子とが接続されたときに通電路を形成して、停電補償ユニット側に設けた補償電源を停電補償ユニット検出手段に通電させることで、停電補償ユニットの接続を検知判別する構成にしていることを特徴とする。
【０００７】
請求項２では、前記コントローラ本体は、ハウジング開放検出監視検出手段と、本体ハウジング開放検出スイッチと、ハウジング開放検出接続端子とをさらに備えるとともに、前記停電補償ユニットは、補償ユニットハウジング開放検出スイッチと、ハウジング開放検出接続端子とを更に備えており、前記コントローラ本体と前記停電補償ユニットのそれぞれに設けたハウジング開放検出接続端子同士を接続したときには、前記ハウジング開放検出監視検出手段、前記本体ハウジング開放検出スイッチ、補償ユニットハウジング開放検出スイッチによって直流通電回路を構成して、前記コントローラ本体は、前記ハウジング開放検出スイッチの少なくとも一方が作動したときには、前記直流通電路が開かれることで、前記ハウジング開放検出監視検出手段を作動させて、警報を報知する構成にしていることを特徴とする。
【０００８】
請求項３では、コントローラ本体又は停電補償ユニットは、前記停電補償ユニット内の充電池の電池試験手段を具備しており、前記充電池の出力電圧が判別されて、試験動作がなされる構成にしていることを特徴とする。
【発明の効果】
【０００９】
本発明の請求項１によれば、コントローラ本体側に設けた給電端子、停電補償端子と、停電補償ユニット側に設けた給電端子、停電補償端子とが接続されたときには通電路を形成して、停電補償ユニット側に設けた補償電源をコントローラ本体の停電補償ユニット検出手段に通電させる。そのため、コントローラ本体に停電補償ユニットを接続するだけで、その接続をコントローラ本体に認識させることができるため、設定忘れ等、現場のトラブル発生を未然に防止できる。
【００１０】
請求項２によれば、コントローラ本体と停電補償ユニットのそれぞれに設けたハウジング開放検出接続端子同士を接続したときには、コントローラ本体、停電補償ユニットのハウジング開放検出スイッチを直列接続した直流通電路が形成されるので、コントローラ本体、停電補償ユニットのいずれか一方のハウジングが開放されたときには報知することができる。
【００１１】
請求項３によれば、コントローラ本体又は停電補償ユニットには、充電池の出力電圧を判別して電池試験を行う電池試験手段を具備しているので、充電池の劣化を監視する電池試験手段を備えた電気錠コントローラを提供することができる。
【発明を実施するための最良の形態】
【００１２】
以下に、本発明の実施の形態について説明する。
図１は、本発明の電気錠コントローラを停電補償ユニットとともに示すブロック図である。図２は、コントローラ本体の要部構成の一例を示すブロック図である。図４は、本発明の電気錠コントローラの具体的な使用例を説明するための図である。
【００１３】
本発明の電気錠コントローラ２は、停電補償ユニット３と組合わさって、停電補償対応型の電気錠システム１を構成する。ここに、電気錠コントローラ２はコントローラ本体２０を備えており、コントローラ本体２０には、専用ハーネスＨを通じて、停電補償ユニット３を接続して構成されており、コントローラ本体２０には、非接触ＩＣカード５と交信して、そのＩＣカード５の携行者を認証する認証装置４が接続され、認証した携行者を通過させるために、電気錠ユニット６を制御して、通行扉を解錠するようにしている。コントローラ本体２０は、非停電時には、ＡＣ１００Ｖなどの外部電源の供給を受けて作動するが、停電時には、後述するように、停電補償ユニット３の補償電源の供給を受けて作動する。
【００１４】
コントローラ本体２０は、このコントローラ本体２０を制御するＣＰＵ２１、インバータ２２、フォトカプラ２３、２４、２５、ハウジングの解放を検出する本体ハウジング開放検出スイッチ２６を備える。また、コントローラ本体２０と停電補償ユニット３とを専用ハーネスＨで接続するためのコネクタＣを備える。コネクタＣには各種端子Ｔ１〜Ｔ６を備えているが、これらの機能については後述する。
【００１５】
フォトカプラ２３は、停電補償ユニット３に設けられている電池試験手段２３の試験スイッチとして機能するもので、ＣＰＵ２１の出力ポートがインバータ２２を介してフォトカプラ２３の発光ダイオードを駆動するトランジスタのベースに接続されている。また、フォトカプラ２３のフォトトランジスタは、電池試験端子Ｔ４、Ｔ５の間に介在され、それらの端子間を導通または遮断するスイッチになっている。ＣＰＵ２１は、停電補償ユニット３の電池試験を行う際には、インバータ２２を通じてフォトカプラ２３の発光ダイオードを点灯させることにより、フォトトランジスタをオンさせて、充電池３４の電源を制御電圧として、電源制限抵抗Ｒを介して、制御リレー３０に印加する。制御リレー３０は、制御接点３２を有し、所定レベル以上の制御電圧を受けると、充電池３４を電池異常検出回路３１に接続する。電池異常検出回路３１は、充電池３４を負荷抵抗等を通じて放電させて、その電圧レベルを判別するもので、充電池３４の電圧値が所定レベルを下回る等の異常があれば報知する。なお、電池異常検出回路３２による試験結果を、図示しない伝送線を通じてコントローラ本体２０に返信するようにすれば、コントローラ本体２０で試験結果を確認でき、利便にできる。
【００１６】
フォトカプラ２４は、停電補償ユニット検出手段を構成しており、内部電源（２４Ｖ）からフォトカプラ２４の発光ダイオードを経由した通電路のグランド（ＧＮＤ１）を、停電補償端子Ｔ１、Ｔ１によって接続、分離するように回路が形成される。すなわち、コントローラ本体２０と、停電補償ユニット３の両者の停電補償端子Ｔ１、Ｔ１を接続しているときには、その通電路が形成され、電流が流れるため、フォトカプラ２４の発光ダイオードが点灯するが、コントローラ本体２０の停電補償端子Ｔ１が解放されているときには、電流が流れず、発光ダイオードは消灯する。この点灯、消灯によりフォトカプラ２４のフォトトランジスタがオン、オフするのでＣＰＵ２１は、停電補償端子Ｔ１、Ｔ１の接続状態を検知できる。
【００１７】
フォトカプラ２５は、ハウジング開放検出監視検出手段２４を構成しており、ハウジング開放検出接続端子Ｔ３、Ｔ３によって接続されると、内部電源（２４Ｖ）からフォトカプラ２５の発光ダイオードを経由し、更に、直列接続されたダンパスイッチ２６、３５を経由する直流通電路が形成されるここに、本体ダンパスイッチ２６は、コントローラ本体２０のハウジングがこじあけなどで解放されると開作動するセンサであり、補償ユニットダンパスイッチ３５は、停電補償ユニット３のハウジングがこじあけなどで解放されると開作動するセンサである。従って、コントローラ本体２０と停電補償ユニット３の両者の対応するハウジング開放検出接続端子Ｔ３を接続しているときには、その直流通電路に電流が流れて、フォトカプラ２４の発光ダイオードが点灯するが、その後ハウジング開放検出スイッチ２６，３５のいずれか一方が作動した場合には、電流が遮断されて発光ダイオードは消灯する。この点灯、消灯によりＣＰＵ２１は、コントローラ本体２０、停電補償ユニット３のハウジングの解放状態を検知できる。
【００１８】
なお、コントローラ本体２０において、Ｄは、コントローラ本体２０の内部電源（２４Ｖ）の上流側に接続されたダイオードを示しており、この内部電源（２４Ｖ）には、ダイオードＤを通じて停電補償ユニットから充電池の電源が供給されるようになっている。非停電時には、内部電源（２４Ｖ）によって作動するが、停電時には、内部電源の電圧値が低下するので、停電補償ユニット３からの電源が供給されて作動する。停電が解消されたときには、内部電源（２４Ｖ）が復旧するので、ダイオードＤにより停電補償ユニット３からの電源供給は遮断される。
【００１９】
一方の停電補償ユニット３は、制御リレー３０、電池異常検出回路３１、試験スイッチ３２で構成される電池試験手段３３、充電池３４、ハウジングの解放を検出する補償ユニットハウジング開放検出スイッチ３５、充放電回路３６を備えている。充放電回路３６は、コントローラ本体２０からの図示しない給電端子を通じた電源（ＤＣ２４Ｖ）の供給を受け、供給された電源を整流、変圧して充電池３４を充電したり、放電させる。図１では、充電池３４は、充放電回路３６によってＤＣ３６Ｖで充電され、停電時にはＤＣ２４Ｖの電源を出力する構成にしている。
なお、コントローラ本体２０は、停電補償ユニット３を接続しない場合には、図示しない給電端子を短絡線で他の端子に接続して、給電端子に手が触れても感電しないようにすることが望ましい。
【００２０】
コントローラ本体２０と停電補償ユニット３に設けたコネクタＣには、コントローラ本体２０と停電補償ユニット３とを接続するための停電補償端子Ｔ１、停電補償ユニット３からコントローラ本体２０へ電源を供給するための給電端子Ｔ２、ハウジング開放検出スイッチ２６，３５同士を接続するハウジング開放検出接続端子Ｔ３、停電補償ユニット３の充電池３４の電池試験を行うための電池試験端子Ｔ４，Ｔ５、グランド端子Ｔ６を備えている。
【００２１】
コントローラ本体２０は、停電補償ユニット３を接続しないときには、図２に示すように、ジャンパ線Ｊを介して、ハウジング開放検出接続端子Ｔ３と、グランド端子Ｔ６とを接続する。こうすれば、本体ハウジング開放検出スイッチ２６が作動していないときには、ハウジング開放検出監視検出手段２５、本体ハウジング開放検出スイッチ２６、ジャンパ線Ｊ、グランド端子Ｔ６により、ＤＣ２４Ｖによる直流通電路が形成され、本体ハウジング開放検出スイッチ２６が作動したときには、この直流通電路が遮断されるため、ハウジング開放検出監視検出手段２５はこれを検出できる。その際には、図示しない警報手段を作動させて、警報を出力させる。
【００２２】
図３は、停電補償ユニット３に設けた電池試験手段３３の要部構成の一例を示す図である。電池試験手段３３は、制御リレー３０、電流制限抵抗Ｒ、電池異常検出回路３１、制御接点３２、試験スイッチＳＷを備えている。試験スイッチＳＷは、図１のフォトカプラ２２で構成された試験スイッチと並列に接続されるものである。
【００２３】
電池異常検出回路３１は、電圧判別回路３１Ａと、発光ダイオードＬＥＤ１、ＬＥＤ２とで構成されている。試験スイッチＳＷが操作されたときには、充電池３４の出力電圧に応じた電圧が制御リレー３０に印加され、制御接点３２が連動して閉制御される。これによって充電池３４の電源が電池異常検出回路３１に供給され、供給された充電池３４の電源の電圧値が電池判別回路３１Ａで判別されて、所定レベル以上であれば正常と判断して、例えば発光ダイオードＬＥＤ１を発光させ、所定レベルを下回っているときには異常と判断して例えば発光ダイオードＬＥＤ２を発光させる。
【００２４】
また、その試験中に、充電池３４の出力電圧が低下し、制御リレー３０に印加させる制御電圧が著しく低下して、励磁可能な最小限の電流が流せなくなったときには、制御リレー３０は切換動作が不能となり、制御接点３２が開かれるので、充電池３４から電池異常検出回路３１への電源供給が遮断され、試験動作は中止される。これにより、充電池３４の過放電等を防止することができる。
【図面の簡単な説明】
【００２５】
【図１】本発明の電気錠コントローラを停電補償ユニットに接続した状態を示すブロック図
【図２】コントローラ本体の要部構成の一例を示すブロック図
【図３】停電補償ユニットの電池試験手段の要部構成の一例を示す図
【図４】電気錠コントローラの具体的な使用例を説明するための図
【符号の説明】
【００２６】
２  電気錠コントローラ
２０  コントローラ本体
３  停電補償ユニット
４  認証装置
５  非接触ＩＣカード
６  電気錠ユニット
２１  ＣＰＵ
２３，２４，２５  フォトカプラ
２６  本体ハウジング開放検出スイッチ
３３  電池試験手段
３４  充電池
３５  補償ユニットハウジング開放検出スイッチ
３６  充放電回路
Ｔ１  停電補償端子
Ｔ２  給電端子
Ｔ３  ハウジング開放検出接続端子
【図１】
2008115622.tif 000003
【図２】
2008115622.tif 000004
【図３】
2008115622.tif 000005
【図４】
2008115622.tif 000006